(57)【要約】【課題】バッテリホルダからバッテリユニットを取り外す作業の煩わしさが低減されるバッテリホルダ、バッテリユニット、および、これらを含むバッテリコンポーネントを提供する。【解決手段】バッテリホルダは、前記第１の保持位置に配置された前記バッテリユニットの第１の端部に対向する第１の基部と、前記第１の基部に設けられる第１の保持部および第２の保持部とを含み、前記第１の保持部は、前記バッテリユニットに設けられる被保持部に接触することによって前記バッテリユニットを前記第１の保持位置に保持する第１の位置、および、前記被保持部から離間する第２の位置の間を変位可能であり、前記第２の保持部は、前記バッテリユニットを前記バッテリホルダから取り外す方向において、前記第１の保持部よりも下流側に少なくとも一部が配置され、前記第１の保持位置よりも下流側の第２の保持位置に前記バッテリユニットを保持可能である。【選択図】図３
2018006144.tif 000002
【特許請求の範囲】
【請求項１】
少なくとも第１の保持位置に配置されたバッテリユニットを保持可能なバッテリホルダであって、
前記第１の保持位置に配置された前記バッテリユニットの第１の端部に対向する第１の基部と、
前記第１の基部に設けられる第１の保持部および第２の保持部とを含み、
前記第１の保持部は、前記バッテリユニットに設けられる被保持部に接触することによって前記バッテリユニットを前記第１の保持位置に保持する第１の位置、および、前記被保持部から離間する第２の位置の間を変位可能であり、
前記第２の保持部は、前記バッテリユニットを前記バッテリホルダから取り外す方向において、前記第１の保持部よりも下流側に少なくとも一部が配置され、前記第１の保持位置よりも下流側の第２の保持位置に前記バッテリユニットを保持可能である、バッテリホルダ。
【請求項２】
前記第１の保持部を前記第１の位置に保持可能なロック機構をさらに含む、請求項１に記載のバッテリホルダ。
【請求項３】
前記ロック機構は、前記第１の基部内に設けられる、請求項２に記載のバッテリホルダ。
【請求項４】
前記ロック機構は、キーシリンダを含む、請求項２または３に記載のバッテリホルダ。
【請求項５】
前記第２の保持部は、前記バッテリユニットを前記第２の保持位置に保持した状態において、前記バッテリユニットを前記バッテリホルダから取り外す力によって前記バッテリユニットの保持を解除するように変形可能な変形部を含む、請求項１〜４のいずれか一項に記載のバッテリホルダ。
【請求項６】
前記第２の保持部は、前記被保持部に接触することによって前記バッテリユニットを前記第２の保持位置に保持可能である、請求項１〜５のいずれか一項に記載のバッテリホルダ。
【請求項７】
前記第２の保持部は、弾性部材を含む、請求項１〜６のいずれか一項に記載のバッテリホルダ。
【請求項８】
前記弾性部材は、板ばねを含む、請求項７に記載のバッテリホルダ。
【請求項９】
前記板ばねは、前記第１の保持部側に設けられる第１のばね端部、および、前記第１のばね端部よりも前記第１の保持部から離れた位置に設けられる第２のばね端部を含み、
前記第１のばね端部は、前記第１の基部に着脱可能に固定される、請求項８に記載のバッテリホルダ。
【請求項１０】
前記第２のばね端部は、前記第１の基部に対して移動可能である、請求項９に記載のバッテリホルダ。
【請求項１１】
前記第１の基部は、前記第１の保持位置に配置された前記バッテリユニットの端面と対向する支持面を含み、
前記第１の保持部および前記第２の保持部は、前記支持面から突出している、請求項１〜１０のいずれか一項に記載のバッテリホルダ。
【請求項１２】
前記第２の保持部は、前記バッテリユニットが前記第１の保持位置から前記第２の保持位置に移動する過程において前記バッテリユニットと接触可能な摩擦部をさらに含む、請求項１〜１１のいずれか一項に記載のバッテリホルダ。
【請求項１３】
前記第１の保持位置に配置された前記バッテリユニットが前記取り外す方向とは反対の方向に移動することを規制可能な第１の支持部をさらに含む、請求項１〜１２のいずれか一項に記載のバッテリホルダ。
【請求項１４】
前記第１の保持位置に配置された前記バッテリユニットの前記取り外す方向に沿う側面に対向する第２の支持部をさらに含む、請求項１３に記載のバッテリホルダ。
【請求項１５】
前記バッテリホルダが取り付けられる対象部材に着脱可能な着脱部を含む、請求項１〜１４のいずれか一項に記載のバッテリホルダ。
【請求項１６】
前記第１の基部から間隔をあけて配置される第２の基部と、
前記第２の基部に設けられ、前記第１の保持位置に配置された前記バッテリユニットの第２の端部を保持する第３の保持部をさらに含む、請求項１〜１５のいずれか一項に記載のバッテリホルダ。
【請求項１７】
少なくとも第１の保持位置に配置された状態でバッテリホルダに保持されるバッテリユニットであって、
バッテリセルを収容可能なハウジングと、
前記ハウジングのうち、前記バッテリユニットを前記バッテリホルダから取り外す方向の下流側の端部から離間した位置に設けられる被保持部とを含み、
前記被保持部は、前記第１の保持位置で前記バッテリユニットが保持されるように前記バッテリホルダの第１の保持部に接触可能であり、かつ、前記第１の保持位置から前記取り外す方向に移動した前記バッテリユニットが第２の保持位置で保持されるように前記バッテリホルダの第２の保持部に接触可能である、バッテリユニット。
【請求項１８】
前記被保持部は、前記第２の保持部が前記バッテリユニットを前記第２の保持位置に保持した状態において、前記バッテリユニットを前記バッテリホルダから取り外す力によって前記第２の保持部による保持が解除されるように前記第２の保持部を変形させることが可能である、請求項１７に記載のバッテリユニット。
【請求項１９】
前記被保持部は、金属を含んで構成される、請求項１７または１８に記載のバッテリユニット。
【請求項２０】
前記ハウジングに設けられ、前記バッテリユニットが前記第１の保持位置から前記第２の保持位置に移動する過程において前記第２の保持部と接触可能な接触部をさらに含む、請求項１７〜１９のいずれか一項に記載のバッテリユニット。
【請求項２１】
前記接触部は、前記取り外す方向における下流側の端部から上流側に向かうに連れて、前記第２の保持部側への突出量が大きくなるように形成されている、請求項２０に記載のバッテリユニット。
【請求項２２】
前記被保持部は、前記接触部の少なくとも一部と一体的に形成される、請求項２０または２１に記載のバッテリユニット。
【請求項２３】
少なくとも第１の保持位置に配置された状態でバッテリホルダに保持されるバッテリユニットであって、
バッテリセルを収容可能なハウジングと、
前記ハウジングのうち、前記バッテリユニットを前記バッテリホルダから取り外す方向の上流側に設けられ、前記第１の保持位置で前記バッテリユニットが保持されるように前記バッテリホルダの第１の保持部に接触可能な第１の被保持部と、
前記ハウジングのうち、前記第１の被保持部よりも前記取り外す方向の下流側の位置に設けられ、前記第１の保持位置から前記取り外す方向に移動した前記バッテリユニットが第２の保持位置で保持されるように前記バッテリホルダの第２の保持部に接触可能な第２の被保持部と、を含むバッテリユニット。
【請求項２４】
前記第２の被保持部は、前記第２の保持部と接触可能な接触位置、および、前記第２の保持部から離間する非接触位置に変位可能に前記ハウジングに設けられる、請求項２３に記載のバッテリユニット。
【請求項２５】
請求項１〜１６のいずれか一項に記載のバッテリホルダと、
請求項１７〜２４のいずれか一項に記載のバッテリユニットと、を含むバッテリコンポーネント。
【発明の詳細な説明】
【技術分野】
【０００１】
本発明は、バッテリホルダ、バッテリユニット、および、これらを含むバッテリコンポーネントに関する。
【背景技術】
【０００２】
特許文献１に開示されているバッテリコンポーネントは、バッテリホルダおよびバッテリユニットを含み、バッテリユニットがバッテリホルダに保持された状態、および、バッテリユニットがバッテリホルダから取り外された状態を取り得る。
【先行技術文献】
【特許文献】
【０００３】
【特許文献１】特開平９−２２６６５３号公報
【発明の概要】
【発明が解決しようとする課題】
【０００４】
上記バッテリコンポーネントでは、キー操作によってバッテリホルダによるバッテリユニットの保持が解除される。バッテリユニットを取り付ける向きによっては、キー操作によってバッテリユニットの保持が解除されたときに、バッテリユニットが自重でバッテリホルダから離反してしまうので、ユーザはバッテリユニットを支えながらキー操作する必要があり、バッテリホルダからバッテリユニットを取り外す作業を煩わしく感じるおそれがある。
【課題を解決するための手段】
【０００５】
〔１〕本発明に従うバッテリホルダの一形態は、少なくとも第１の保持位置に配置されたバッテリユニットを保持可能なバッテリホルダであって、前記第１の保持位置に配置された前記バッテリユニットの第１の端部に対向する第１の基部と、前記第１の基部に設けられる第１の保持部および第２の保持部とを含み、前記第１の保持部は、前記バッテリユニットに設けられる被保持部に接触することによって前記バッテリユニットを前記第１の保持位置に保持する第１の位置、および、前記被保持部から離間する第２の位置の間を変位可能であり、前記第２の保持部は、前記バッテリユニットを前記バッテリホルダから取り外す方向において、前記第１の保持部よりも下流側に少なくとも一部が配置され、前記第１の保持位置よりも下流側の第２の保持位置に前記バッテリユニットを保持可能である。第１の保持位置に配置されたバッテリユニットがバッテリホルダから取り外される過程において、バッテリユニットは、第２の保持部によって第２の保持位置に保持される。このため、バッテリユニットが第１の保持位置から第２の保持位置に向けて移動するときにバッテリユニットを手で支える必要がなく、バッテリホルダからバッテリユニットを取り外す作業の煩わしさが低減される。
【０００６】
〔２〕前記バッテリホルダの一例によれば、前記第１の保持部を前記第１の位置に保持可能なロック機構をさらに含む。ロック機構によって第１の保持部を第１の位置に保持すると、バッテリユニットをバッテリホルダにロックすることができる。
【０００７】
〔３〕前記バッテリホルダの一例によれば、前記ロック機構は、前記第１の基部内に設けられる。第１の基部内にロック機構を設けると、ロック機構に外部からアクセスし難くなり、防犯性を向上させることができる。
【０００８】
〔４〕前記バッテリホルダの一例によれば、前記ロック機構は、キーシリンダを含む。第１の保持部によるバッテリユニットの保持を解除するためにキー操作が必要であるため、防犯性を向上させることができる。
【０００９】
〔５〕前記バッテリホルダの一例によれば、前記第２の保持部は、前記バッテリユニットを前記第２の保持位置に保持した状態において、前記バッテリユニットを前記バッテリホルダから取り外す力によって前記バッテリユニットの保持を解除するように変形可能な変形部を含む。第２の保持位置に保持されたバッテリユニットにユーザが力を加えることによって第２の保持部が変形して、バッテリホルダをバッテリユニットから取り外すことができる。この構成によれば、バッテリユニットが第２の保持位置に保持されている状態から、ユーザがバッテリユニットに力を加えることで、バッテリホルダからバッテリユニットを容易に取り外すことができる。
【００１０】
〔６〕前記バッテリホルダの一例によれば、前記第２の保持部は、前記被保持部に接触することによって前記バッテリユニットを前記第２の保持位置に保持可能である。第１の保持部と第２の保持部とが同じ被保持部に接触するので、第２の保持部に接触させるために被保持部とは別の要素がバッテリユニットに設けられる場合と比較して、バッテリユニットの構成が簡素化される。
【００１１】
〔７〕前記バッテリホルダの一例によれば、前記第２の保持部は、弾性部材を含む。第２の保持部が弾性変形することによって、バッテリユニットが移動する軌道および軌道の外側に、第２の保持部の一部を容易に移動させることができ、第２の保持部の構成が簡素化される。
【００１２】
〔８〕前記バッテリホルダの一例によれば、前記弾性部材は、板ばねを含む。板ばねを用いることによって、バッテリユニットの形状に合わせて第２の保持部を最適な形状に形成しやすい。
【００１３】
〔９〕前記バッテリホルダの一例によれば、前記板ばねは、前記第１の保持部側に設けられる第１のばね端部、および、前記第１のばね端部よりも前記第１の保持部から離れた位置に設けられる第２のばね端部を含み、前記第１のばね端部は、前記第１の基部に着脱可能に固定される。第１のばね端部が第１の基部に着脱可能に固定されるため、板ばねが劣化した場合でも容易に交換できる。またバッテリホルダの使用環境によっては、第２の保持部を第１の基部から取り外して使用することもでき、利便性を向上させることができる。
【００１４】
〔１０〕前記バッテリホルダの一例によれば、前記第２のばね端部は、前記第１の基部に対して移動可能である。第２のばね端部が第１の基部に対して移動することによって、板ばねの変形量を大きくして、バッテリユニットが移動する軌道および軌道の外側に、板ばねの一部を容易に移動させることができる。
【００１５】
〔１１〕前記バッテリホルダの一例によれば、前記第１の基部は、前記第１の保持位置に配置された前記バッテリユニットの端面と対向する支持面を含み、前記第１の保持部および前記第２の保持部は、前記支持面から突出している。第１の保持部および第２の保持部の両方が同じ支持面から突出するため、バッテリユニットの被保持部を、バッテリユニットにおいても１つの端面に纏めて設けることができ、バッテリユニットの構造が複雑になることを抑制することができる。
【００１６】
〔１２〕前記バッテリホルダの一例によれば、前記第２の保持部は、前記バッテリユニットが前記第１の保持位置から前記第２の保持位置に移動する過程において前記バッテリユニットと接触可能な摩擦部をさらに含む。第２の保持部の摩擦部とバッテリユニットとが接触することによって、バッテリユニットが第１の保持位置から取り外す方向に移動する速度が低減されるため、第２の保持部がバッテリユニットを第２の保持位置で安定して受け止めやすくなる。
【００１７】
〔１３〕前記バッテリホルダの一例によれば、前記第１の保持位置に配置された前記バッテリユニットが前記取り外す方向とは反対の方向に移動することを規制可能な第１の支持部をさらに含む。第１の支持部によって、バッテリユニットが第１の保持位置で安定して保持される。
【００１８】
〔１４〕前記バッテリホルダの一例によれば、前記第１の保持位置に配置された前記バッテリユニットの前記取り外す方向に沿う側面に対向する第２の支持部をさらに含む。第２の支持部によって、バッテリユニットが第１の保持位置でさらに安定して保持される。
【００１９】
〔１５〕前記バッテリホルダの一例によれば、前記バッテリホルダが取り付けられる対象部材に着脱可能な着脱部を含む。着脱部によってバッテリホルダを様々な対象部材に取り付けることができ、また対象部材からバッテリホルダを取り外してメンテナンスを容易に行うことができる。
【００２０】
〔１６〕前記バッテリホルダの一例によれば、前記第１の基部から間隔をあけて配置される第２の基部と、前記第２の基部に設けられ、前記第１の保持位置に配置された前記バッテリユニットの第２の端部を保持する第３の保持部をさらに含む。第１の保持位置に配置されたバッテリユニットは、第１の保持部および第３の保持部によって保持されるので、第１の保持位置に安定して保持される。
【００２１】
〔１７〕本発明に従うバッテリユニットの一形態は、少なくとも第１の保持位置に配置された状態でバッテリホルダに保持されるバッテリユニットであって、バッテリセルを収容可能なハウジングと、前記ハウジングのうち、前記バッテリユニットを前記バッテリホルダから取り外す方向の下流側の端部から離間した位置に設けられる被保持部とを含み、前記被保持部は、前記第１の保持位置で前記バッテリユニットが保持されるように前記バッテリホルダの第１の保持部に接触可能であり、かつ、前記第１の保持位置から前記取り外す方向に移動した前記バッテリユニットが第２の保持位置で保持されるように前記バッテリホルダの第２の保持部に接触可能である。第１の保持位置に保持されたバッテリユニットがバッテリホルダから取り外される過程において、バッテリユニットが第２の保持位置に保持されるように被保持部が第２の保持部と接触する。このため、バッテリユニットが第１の保持位置から第２の保持位置に向けて移動するときにバッテリユニットを手で支える必要がなく、バッテリホルダからバッテリユニットを取り外す作業の煩わしさが低減される。また第１の保持部と第２の保持部とが同じ被保持部に接触するので、第２の保持部に接触させるために被保持部とは別の要素がバッテリユニットに設けられる場合と比較して、バッテリユニットの構成が簡素化される。
【００２２】
〔１８〕前記バッテリユニットの一例によれば、前記被保持部は、前記第２の保持部が前記バッテリユニットを前記第２の保持位置に保持した状態において、前記バッテリユニットを前記バッテリホルダから取り外す力によって前記第２の保持部による保持が解除されるように前記第２の保持部を変形させることが可能である。第２の保持位置に保持されたバッテリユニットにユーザが力を加えることによって、被保持部よって第２の保持部が変形して、バッテリホルダからバッテリユニットが取り外される。この構成によれば、バッテリユニットが第２の保持位置に保持されている状態から、ユーザがバッテリユニットに力を加えることで、バッテリホルダからバッテリユニットを容易に取り外すことができる。
【００２３】
〔１９〕前記バッテリユニットの一例によれば、前記被保持部は、金属を含んで構成される。これによって被保持部の耐久性が高められる。
〔２０〕前記バッテリユニットの一例によれば、前記ハウジングに設けられ、前記バッテリユニットが前記第１の保持位置から前記第２の保持位置に移動する過程において前記第２の保持部と接触可能な接触部をさらに含む。バッテリユニットが第１の保持位置から第２の保持位置に移動するときに、バッテリホルダの第２の保持部と接触部とが接触するので、バッテリユニットが取り外す方向に移動する速度を低減させることができ、バッテリユニットを第２の保持部で安定して受け止めさせやすくなる。
【００２４】
〔２１〕前記バッテリユニットの一例によれば、前記接触部は、前記取り外す方向における下流側の端部から上流側に向かうに連れて、前記第２の保持部側への突出量が大きくなるように形成されている。接触部の取り外す方向における下流側の端部から上流側に向かうに連れて第２の保持部側への突出量が大きくなるため、バッテリユニットが第１の保持位置から第２の保持位置に移動する過程において、第２の保持部と接触部とが接触する強さが徐々に強められる。このため、バッテリユニットが取り外す方向に移動する速度を徐々に低減させることができ、バッテリユニットを第２の保持部でより安定して受け止めさせやすくなる。
【００２５】
〔２２〕前記バッテリユニットの一例によれば、前記被保持部は、前記接触部の少なくとも一部と一体的に形成される。被保持部と接触部の少なくとも一部とを一体的に形成することによって、部品点数を削減することができる。
【００２６】
〔２３〕本発明に従うバッテリユニットの一形態は、少なくとも第１の保持位置に配置された状態でバッテリホルダに保持されるバッテリユニットであって、バッテリセルを収容可能なハウジングと、前記ハウジングのうち、前記バッテリユニットを前記バッテリホルダから取り外す方向の上流側に設けられ、前記第１の保持位置で前記バッテリユニットが保持されるように前記バッテリホルダの第１の保持部に接触可能な第１の被保持部と、前記ハウジングのうち、前記第１の被保持部よりも前記取り外す方向の下流側の位置に設けられ、前記第１の保持位置から前記取り外す方向に移動した前記バッテリユニットが第２の保持位置で保持されるように前記バッテリホルダの第２の保持部に接触可能な第２の被保持部と、を含む。第１の保持位置に保持されたバッテリユニットがバッテリホルダから取り外される過程において、バッテリユニットが第２の保持位置に保持されるように被保持部が第２の保持部と接触する。このため、バッテリユニットが第１の保持位置から第２の保持位置に向けて移動するときにバッテリユニットを手で支える必要がなく、バッテリホルダからバッテリユニットを取り外す作業の煩わしさが低減される。
【００２７】
〔２４〕前記バッテリユニットの一例によれば、前記第２の被保持部は、前記第２の保持部と接触可能な接触位置、および、前記第２の保持部から離間する非接触位置に変位可能に前記ハウジングに設けられる。バッテリユニットが第２の保持位置に保持された状態において、第２の被保持部を接触位置から非接触位置に変位させることによって第２の保持部による保持が解除される。このため、第２の保持位置に保持されたバッテリユニットをバッテリホルダから容易に取り外すことができる。
【００２８】
〔２５〕本発明に従うバッテリコンポーネントの一形態は、上記〔１〕〜〔１６〕のいずれかに記載のバッテリホルダと、上記〔１７〕〜〔２４〕のいずれかに記載のバッテリユニットとを含む。上記バッテリコンポーネントによれば、上記〔１〕〜〔１６〕のバッテリホルダによって得られる効果、および、上記〔１７〕〜〔２４〕のバッテリユニットによって得られる効果と実質的に同じ効果が得られる。
【発明の効果】
【００２９】
上記バッテリホルダ、バッテリユニット、および、これらを含むバッテリコンポーネントによれば、バッテリホルダからバッテリユニットを取り外す作業の煩わしさが低減される。
【図面の簡単な説明】
【００３０】
【図１】第１の実施形態のバッテリコンポーネントを自転車のフレームに取り付けた状態おける、バッテリコンポーネントと自転車のフレームの一部とを示す斜視図。
【図２】図１に示すバッテリコンポーネントと自転車のフレームの一部との分解斜視図。
【図３】図２に示す第１のバッテリホルダの斜視図。
【図４】図２に示すバッテリユニットの第１の端部の斜視図。
【図５】第１のバッテリホルダにバッテリユニットを取り付ける途中の状態を示す斜視図。
【図６】第１の規制部と第３の規制部との結合状態を示す第１のバッテリホルダとバッテリユニットの第１の端部との断面図。
【図７】図２に示す第２のバッテリホルダの斜視図。
【図８】図２に示すバッテリユニットの第２の端部の斜視図。
【図９】図２に示すバッテリユニットをバッテリホルダに取り付ける途中の第１の状態におけるバッテリコンポーネントの側面図。
【図１０】図２に示すバッテリユニットをバッテリホルダに取り付ける途中の第２の状態におけるバッテリコンポーネントの側面図。
【図１１】図２に示すバッテリユニットをバッテリホルダに取り付けた状態におけるバッテリコンポーネントの側面図。
【図１２】図２に示すバッテリユニットをバッテリホルダに取り付けた状態における第１のバッテリホルダとバッテリユニットの第１の端部との断面図。
【図１３】図１に示すバッテリコンポーネントにおいて、摩擦部と接触部とが接触した状態における第１のバッテリホルダとバッテリユニットの第１の端部との断面図。
【図１４】図２に示すバッテリユニットが、第２の保持部によって第２の保持位置に保持された状態における第１のバッテリホルダとバッテリユニットの第１の端部との断面図。
【図１５】第２の実施形態のバッテリユニットの第１の端部を示す斜視図。
【図１６】図１５に示すバッテリユニットが、第２の保持部によって第２の保持位置に保持された状態における第１のバッテリホルダとバッテリユニットの第１の端部との断面図。
【図１７】第３の実施形態のバッテリユニットの第１の端部を示す斜視図。
【図１８】図１７に示すバッテリユニットを第１のバッテリホルダに取り付けた状態における第１のバッテリホルダとバッテリユニットの第１の端部との側面図。
【図１９】図１７に示すバッテリユニットが、第２の保持部によって第２の保持位置で保持された状態における第１のバッテリホルダとバッテリユニットの第１の端部との側面図。
【図２０】図１７に示すバッテリユニットの第１のバッテリホルダによる保持が解除された状態における第１のバッテリホルダとバッテリユニットの第１の端部との側面図。
【図２１】変形例の第１の規制部と第３の規制部との結合状態を示す第１のバッテリホルダとバッテリユニットの第１の端部との断面図。
【図２２】変形例のバッテリコンポーネントの第２のバッテリホルダとバッテリユニットの第２の端部とを示す断面図。
【発明を実施するための形態】
【００３１】
（第１の実施形態）
図１に示されるバッテリコンポーネント１０は、例えば対象部材Ｆの収容空間Ｓに少なくとも一部が収容された状態で使用される。バッテリコンポーネント１０を収容空間Ｓに収容して使用する場合、バッテリコンポーネント１０の全体が収容空間Ｓに配置されることが好ましい。対象部材Ｆの一例は、自転車である。自転車にバッテリコンポーネント１０を設ける場合、バッテリコンポーネント１０は、自転車のフレーム、フロントフォーク、ハンドルバー、ステム、シートポスト、リアキャリア、フロントキャリアのいずれかに設けられることが好ましい。自転車のフレームは、トップチューブ、ヘッドチューブ、ダウンチューブＦ１、シートチューブ、チェーンステイ、および、シートステイのうちの少なくとも１つを含む。本実施形態では、ダウンチューブＦ１にバッテリコンポーネント１０が設けられる場合について説明する。ダウンチューブＦ１は、自転車が平地に置かれた状態で、フロントフォークからクランク軸に向かって上方から下方に延びている。ダウンチューブＦ１には、自転車が平地に置かれた状態で下側に開口する開口ＦＡが設けられている。開口ＦＡの大きさは、バッテリコンポーネント１０を収容空間Ｓに挿入可能な大きさである。ダウンチューブＦ１は、例えば収容空間Ｓが略直方体となるように形成されている。
【００３２】
バッテリコンポーネント１０は、バッテリホルダ１２およびバッテリユニット６０を含む。バッテリホルダ１２は、少なくとも第１の保持位置に配置されたバッテリユニット６０を保持可能である。図１は、バッテリユニット６０が第１の保持位置に配置された状態を示す。
【００３３】
図２に示すように、バッテリユニット６０は、長手方向を有する略直方体に形成される。バッテリユニット６０は、第１の保持位置（図１参照）でバッテリホルダ１２に保持されることによって、バッテリホルダ１２に電気的に接続されている要素にバッテリホルダ１２を介して電力を供給可能に構成されている。バッテリホルダ１２に電気的に接続されている要素は、電動コンポーネントを含む。電動コンポーネントは、アシストドライブユニット、電動変速機、電動サスペンション、電動シートポスト、表示装置、サイクルコンピュータ、および、電動操作装置のうちの少なくとも１つを含む。バッテリユニット６０は、ハウジング６２を含む。ハウジング６２は、バッテリセル６２Ａ（図１参照）を収容可能である。ハウジング６２は、合成樹脂によって形成される。ハウジング６２は、長手方向を有する略直方体に形成される。
【００３４】
バッテリホルダ１２は、第１のバッテリホルダ２０および第２のバッテリホルダ４０を含む。第１のバッテリホルダ２０および第２のバッテリホルダ４０は、互いに間隔をあけて配置され、対象部材Ｆに個別に取り付けられる。第１のバッテリホルダ２０は、バッテリユニット６０の第１の端部６４Ａを保持可能である。第２のバッテリホルダ４０は、バッテリユニット６０の第２の端部６４Ｂを保持可能である。第１の端部６４Ａは、第１の保持位置に配置されるバッテリユニット６０の第１の方向Ｘの一端部である。第２の端部６４Ｂは、第１の保持位置に配置されるバッテリユニット６０の第１の方向Ｘの他端部である。第１の方向Ｘは、バッテリユニット６０の長手方向に沿う。バッテリコンポーネント１０を自転車に取り付けた状態で、第１の方向Ｘは、自転車のダウンチューブＦ１の延びる方向に沿う。対象部材Ｆにおいて、第１のバッテリホルダ２０は第２のバッテリホルダ４０よりも上方の配置されるのが好ましいが、第２のバッテリホルダ４０が第１のバッテリホルダ２０よりも上方に配置されてもよい。
【００３５】
バッテリユニット６０は、第１の方向Ｘに沿う側面部６７を含む。側面部６７は、相互に反対側を向く２つの第１の側面部６７Ａと、第２の側面部６７Ｂ（図４参照）と、第３の側面部６７Ｃとを含む。第１の側面部６７Ａは、バッテリユニット６０のうち、バッテリユニット６０をバッテリホルダ１２から取り外す方向に沿う側面を含む。取り外す方向は、バッテリユニット６０がバッテリホルダ１２から取り外されるときに移動する方向に沿う。第１の側面部６７Ａは、第１の方向Ｘおよび取り外す方向に直交する第２の方向Ｙ（図４参照）におけるバッテリユニット６０の側面を含む。第２の側面部６７Ｂは、バッテリユニット６０のうち、取り外す方向とは反対の方向（以下では「取り付け方向」）の側面を含む。取り付け方向は、バッテリユニット６０をバッテリホルダ１２に取り付けるときにバッテリユニット６０を移動させる方向に沿う。第３の側面部６７Ｃは、バッテリユニット６０のうち、取り外す方向の側面を含む。バッテリコンポーネント１０を自転車に取り付けた状態で、第２の方向Ｙは、自転車の進行方向に対して左右となる幅方向に沿う。
【００３６】
図３に示すように第１のバッテリホルダ２０は、第１の基部２２、第１の保持部３０、および、第２の保持部３２を含む。第１の基部２２は、第１の保持位置に配置されたバッテリユニット６０の第１の端部６４Ａ（図２参照）に対向する。第１の端部６４Ａは、バッテリユニット６０の第１の端面６６Ａ（図４参照）、および、バッテリユニット６０の側面部６７Ａ〜６７Ｃのうちの第１の端面６６Ａ側の端部を含む。
【００３７】
第１の基部２２は、本体２２Ａおよび第１の部分２６Ａを含む。本体２２Ａおよび第１の部分２６Ａは、一体に形成されていてもよく、別体に形成されていてもよい。本体２２Ａは、１つまたは複数の部品を含んで構成されてもよい。本体２２Ａは、支持面２２Ｂを含む。支持面２２Ｂは、第１の保持位置に配置されたバッテリユニット６０の第１の端面６６Ａと対向する。第１の部分２６Ａは、バッテリユニット６０の第１の側面部６７Ａ（図４参照）と対向する。第１の部分２６Ａは、第２の方向Ｙに間隔をあけて、第２の方向Ｙにおける本体２２Ａの両端部にそれぞれ設けられることが好ましい。各第１の部分２６Ａは、バッテリユニット６０の各第１の側面部６７Ａにそれぞれ対向するように本体２２Ａから延びる。第１の部分２６Ａは、取り外す方向において本体２２Ａの一端部から他端部にわたって設けられる。
【００３８】
第１の保持部３０は、第１の基部２２に設けられる。第１の保持部３０は、第１の位置および第２の位置に変位可能である。第１の位置は、第１の保持部３０がバッテリユニット６０に設けられる被保持部６８（図４参照）に接触することによって、バッテリユニット６０を第１の保持位置に保持可能な位置である（図１２参照）。第２の位置は、第１の保持部３０が被保持部６８から離間する位置である（図１２参照）。第１の保持部３０は、第１の位置に配置されているとき、支持面２２Ｂから突出している。第１の保持部３０は、第２の位置に配置されているときは、支持面２２Ｂから突出していてもよく、支持面２２Ｂから突出していなくてもよい。第１の保持部３０は、第１の位置および第２の位置のいずれかの位置に配置可能に、第１の基部２２に対して旋回可能な状態で第１の基部２２に支持される。
【００３９】
第２の保持部３２は、第１の基部２２に設けられる。第２の保持部３２は、取り外す方向において、第１の保持部３０よりも下流側に少なくとも一部が配置され、第１の保持位置よりも下流側の第２の保持位置（図１４参照）にバッテリユニット６０を保持可能である。本実施形態では、第１の保持部３０よりも取り外す方向の下流側に第２の保持部３２の全体が配置される。第２の保持部３２は、第１の保持部３０から離間している。第２の保持部３２は、バッテリユニット６０が第１の保持位置に配置されている状態で、第１の保持部３０よりもバッテリユニット６０の第３の側面部６７Ｃ（図２参照）に近い位置に設けられている。第２の保持部３２は、バッテリユニット６０がバッテリホルダ１２に取り付けられた状態において、第１の保持部３０よりも対象部材Ｆの開口ＦＡ（図２参照）に近い位置に設けられている。第２の保持部３２は、被保持部６８と接触することによってバッテリユニット６０を第２の保持位置に保持可能である。
【００４０】
第２の保持部３２は、支持面２２Ｂから突出している。第２の保持部３２は、第１の基部２２に着脱可能に設けられている。第２の保持部３２は、弾性部材３４を含む。弾性部材３４は、板ばねを含む。弾性部材３４は、支持面２２Ｂから突出するように支持面２２Ｂに取り付けられる。第１のバッテリホルダ２０では、第２の保持部３２が第１の基部２２に着脱可能であるので、ユーザにとって第２の保持部３２が不要の場合には、第１のバッテリホルダ２０から第２の保持部３２を取り外した状態で、第１のバッテリホルダ２０を使用することもできる。
【００４１】
第２の保持部３２は、変形部３４Ａを含む。第２の保持部３２は、摩擦部３４Ｂをさらに含む。変形部３４Ａおよび摩擦部３４Ｂは、弾性部材３４に設けられる。弾性部材３４は、第１のばね端部３４Ｃおよび第２のばね端部３４Ｄをさらに含む。変形部３４Ａは、第２の保持部３２がバッテリユニット６０を第２の保持位置に保持した状態において、バッテリユニット６０を第１のバッテリホルダ２０から取り外す力によってバッテリユニット６０の保持を解除するように変形可能である。摩擦部３４Ｂは、バッテリユニット６０が第１の保持位置から第２の保持位置に移動する過程においてバッテリユニット６０と接触する。第１のばね端部３４Ｃと第２のばね端部３４Ｄとの間に、変形部３４Ａおよび摩擦部３４Ｂが配置される。弾性部材３４は、第１のばね端部３４Ｃと第２のばね端部３４Ｄとの間の中間部が、第１のばね端部３４Ｃおよび第２のばね端部３４Ｄよりも支持面２２Ｂから離反するように折れ曲がっており、略Ｌ字状に形成されている。摩擦部３４Ｂは、弾性部材３４のうち支持面２２Ｂから最も離反した部分に含まれている。弾性部材３４は、樹脂製であってもよく、金属製であってもよい。弾性部材３４が金属製の場合、弾性部材３４は板状の金属を折り曲げて形成されることが好ましい。
【００４２】
第１のばね端部３４Ｃは、弾性部材３４のうちの第１の保持部３０側に設けられる。第２の保持部３２は、固定部３４Ｅをさらに含む。第１のばね端部３４Ｃは、固定部３４Ｅによって第１の基部２２に着脱可能に固定される。固定部３４Ｅの一例は、ファスナーである。ファスナーは、ボルトを含む。第２のばね端部３４Ｄは、弾性部材３４のうちの第１のばね端部３４Ｃよりも第１の保持部３０から離れた位置に設けられる。第２のばね端部３４Ｄは、第１の基部２２に固定されず、変形部３４Ａの変形によって第１の基部２２に対して移動可能である。第２の保持部３２は、第１の基部２２に着脱不能に設けられていてもよい。この場合、固定部３４Ｅは省略されてもよく、第１の基部２２に第１のばね端部３４Ｃを嵌め込んで、弾性部材３４を第１の基部２２に固定してもよく、接着または溶着によって第１のばね端部３４Ｃを第１の基部２２に固定してもよい。第２のばね端部３４Ｄは、支持面２２Ｂに接触する。第２のばね端部３４Ｄの支持面２２Ｂに接触する端面は、曲面に形成されることが好ましい。弾性部材３４が、板状の金属によって形成される場合、第２のばね端部３４Ｄは板状の金属の端部を折り曲げることによって端面を曲面に形成することができる。第２のばね端部３４Ｄは、第１の基部２２に着脱可能または着脱不能に固定される構成としてもよい。
【００４３】
第１のバッテリホルダ２０は、第１の支持部２４および第２の支持部２６をさらに含む。第１の支持部２４および第２の支持部２６は、第１の基部２２にそれぞれ設けられ、本実施形態ではそれぞれ一対設けられている。第１の支持部２４は、第１の保持位置に配置されたバッテリユニット６０が取り付け方向に移動することを規制可能である。一対の第１の支持部２４は、その間にケーブル（図示略）を配置するために間隔をあけて第１の基部２２に設けられる。ケーブルは、例えばボーデンケーブルまたは電気ケーブルである。第１の支持部２４の取り付け方向の下流側の端部は、対象部材Ｆに接触するように構成される。
【００４４】
第１の支持部２４は、第２の部分２４Ａを含む。第２の部分２４Ａは、バッテリユニット６０の第２の側面部６７Ｂ（図４参照）と対向するように本体２２Ａから延びる。第２の部分２４Ａは、本体２２Ａおよび第１の部分２６Ａの少なくともいずれか一方とは、一体に形成されていてもよく、別体に形成されていてもよい。
【００４５】
第１の支持部２４は、弾性部材２４Ｂをさらに含む。弾性部材２４Ｂは、第２の部分２４Ａのうち第１の保持位置に配置されたバッテリユニット６０と対向する第２の面２４Ｃ（図５参照）に設けられる。弾性部材２４Ｂは、第１の保持位置に配置されたバッテリユニット６０の第２の側面部６７Ｂに接触するように構成されることが好ましい。弾性部材２４Ｂの一例は、エラストマである。エラストマは、ゴムを含む。弾性部材２４Ｂは、省略してもよい。弾性部材２４Ｂを省略する場合、第２の部分２４Ａが第１の保持位置に配置されたバッテリユニット６０の第２の側面部６７Ｂに接触するように構成されることが好ましい。
【００４６】
各第２の支持部２６は、第１の保持位置に配置されたバッテリユニット６０の各第１の側面部６７Ａのそれぞれに対向する。第２の支持部２６は、第２の方向Ｙにおいて第１のバッテリホルダ２０に対するバッテリユニット６０の移動を規制可能である。第２の支持部２６は、第１の部分２６Ａおよび弾性部材２６Ｂを含む。弾性部材２６Ｂは、第１の部分２６Ａのうち第１の保持位置に配置されたバッテリユニット６０と対向する第１の面２６Ｃに設けられる。弾性部材２６Ｂは、第１の支持部２４に隣接して設けられる。弾性部材２６Ｂの一例は、エラストマである。エラストマは、ゴムを含む。弾性部材２４Ｂと弾性部材２６Ｂとは、一体に形成されている。弾性部材２４Ｂと弾性部材２６Ｂとは別体に形成されていてもよい。弾性部材２６Ｂは、省略してもよい。弾性部材２６Ｂを省略する場合、一対の第１の部分２６Ａは、第１の保持位置に配置されたバッテリユニット６０の２つの第１の側面部６７Ａにそれぞれ接触するように構成されることが好ましい。弾性部材２６Ｂは、板ばねによって構成されてもよい。
【００４７】
第１のバッテリホルダ２０は、第１の規制部２８をさらに含む。第１の規制部２８は、第１の基部２２に設けられ、バッテリユニット６０と第１の基部２２との第１の方向Ｘにおける相対的な移動を規制可能である。本実施形態では、第１の規制部２８は、第１の部分２６Ａの第１の面２６Ｃのうちの取り外す方向の下流側に設けられる。第１の規制部２８は、一対の第１の部分２６Ａのそれぞれに設けられることが好ましい。第１の規制部２８は、第１の基部２２の少なくとも一部と一体的に形成される。第１の規制部２８は、第１の基部２２とは別体に形成され、第１の基部２２にファスナー、接着または溶着によって取り付けられてもよい。第１の規制部２８は、第１の凸部２８Ａを含む。第１の凸部２８Ａは、バッテリユニット６０のうちの第１の側面部６７Ａに設けられる第１の凹部７２Ａ（図４参照）に挿入可能である。第１の凸部２８Ａは、取り外す方向に沿って延びる。第１の規制部２８は、第２の部分２４Ａの第２の面２４Ｃに設けられてもよい。第１の規制部２８が、第２の部分２４Ａの第２の面２４Ｃに設けられる場合、第２の面２４Ｃに第１の凸部２８Ａを設け、バッテリユニット６０のうちの第２の側面部６７Ｂに第１の凸部２８Ａを挿入可能な第１の凹部７２Ａを設けてもよい。
【００４８】
第１のバッテリホルダ２０は、着脱部３６をさらに含む。着脱部３６は、第１のバッテリホルダ２０が取り付けられる対象部材Ｆ（図１参照）に着脱可能である。着脱部３６は、第１の基部２２に設けられる。着脱部３６はファスナーを含む。ファスナーはボルトを含む。着脱部３６は、第１の基部２２のうち取り付け方向の下流側の端部に設けられることが好ましい。着脱部３６がボルトを含む場合、第２の方向Ｙに間隔をあけて設けられる２つのボルトを第１の基部２２に設けることが好ましい。着脱部３６がボルトを含む場合、第１の基部２２のうち取り付け方向の下流側の端部から突出するようにボルトを設けることが好ましい。着脱部３６がボルトを含む場合、ボルトを対象部材Ｆに形成される孔に挿入させ、ナットと第１の基部２２とによって対象部材Ｆを挟み込んで第１のバッテリホルダ２０を対象部材Ｆに固定する。着脱部３６は、ナットまたはねじ孔を含んでいてもよい。着脱部３６がナットまたはねじ孔を含む場合、ボルトを対象部材Ｆに形成される孔に挿入させ、ボルトと着脱部３６のナットまたはねじ孔とによって対象部材Ｆを挟み込んで第１のバッテリホルダ２０を対象部材Ｆに固定する。
【００４９】
図４に示すようにバッテリユニット６０は、被保持部６８および接触部７０をさらに含む。被保持部６８は、ハウジング６２の第１の端面６６Ａのうちの取り外す方向の下流側の端部６６Ｃから離間した位置に設けられる。被保持部６８は、第１の端面６６Ａのうちの第２の側面部６７Ｂに隣接する端部に設けられることが好ましい。被保持部６８を、第１の端面６６Ａのうちの第２の側面部６７Ｂに隣接する端部に設けることによって、バッテリユニット６０が第２の保持位置で保持されているときに、バッテリユニット６０がＦの開口ＦＡから突出する量をできるだけ大きくすることができる。この構成では、第２の保持位置で保持されたバッテリユニット６０が手で保持されやすいため、バッテリユニット６０の取り外し作業が容易になる。
【００５０】
被保持部６８は、バッテリユニット６０が第１の保持位置（図１参照）に配置されているときに、第１の保持部３０（図３参照）と対向するようにハウジング６２に設けられる。被保持部６８は、バッテリユニット６０の第２の方向Ｙにおける両端部を除く中間部に設けられている。被保持部６８は、金属を含んで構成される。被保持部６８は、第１の方向Ｘにおいてハウジング６２から外方に突出する突起６８Ａを含む。被保持部６８は、突起６８Ａの表面に設けられる金属板６８Ｂを含む。金属板６８Ｂは、突起６８Ａの表面を覆うように形成されている。突起６８Ａは、ハウジング６２と一体に形成されている。被保持部６８は、突起６８Ａを省略して、金属板６８Ｂのみによって形成されてもよい。
【００５１】
ハウジング６２には、金属板６８Ｂを取り付ける取り付け機構６９が設けられる。取り付け機構６９は、ハウジング６２の第１の端面６６Ａに形成される係合溝６９Ａと、ねじ孔６９Ｂとを含む（図１２参照）。係合溝６９Ａは、取り付け方向の下流側に開口している。ねじ孔６９Ｂは、ハウジング６２の第１の端面６６Ａに開口している。金属板６８Ｂの取り付け方向の下流側の第１の端部６８Ｃは、折れ曲がって係合溝６９Ａに係合する。金属板６８Ｂには、突起６８Ａの取り外す方向の下流側に、第１の方向Ｘに貫通する孔６８Ｄが形成されている。金属板６８Ｂは、第１の端部６８Ｃを係合溝６９Ａに係合した状態で、ボルト６９Ｃを孔６８Ｄに貫通させてハウジング６２のねじ孔６９Ｂに取り付けることによって、ハウジング６２の第１の端面６６Ａに着脱可能に固定される。金属板６８Ｂは、ハウジング６２の第１の端面６６Ａに着脱不能に固定されてもよい。被保持部６８の突起６８Ａは、金属によって形成されていてもよい。この場合、突起６８Ａと金属板６８Ｂとを一体に形成してもよく、金属板６８Ｂを省略してもよい。被保持部６８は、金属板６８Ｂが省略され、金属を含まない構成としてもよい。
【００５２】
被保持部６８は、第１の保持位置でバッテリユニット６０が保持されるように第１の保持部３０に接触可能である。被保持部６８が第１の保持部３０に接触することによって、バッテリユニット６０が第１の保持位置で保持される。バッテリユニット６０が第１の保持位置に配置され、第１の保持部３０が第１の位置に配置されているとき、第１の保持部３０が被保持部６８に接触して、第１の保持位置でバッテリユニット６０が保持される。被保持部６８は、第１の保持位置から取り外す方向に移動したバッテリユニット６０が第２の保持位置（図１４参照）で保持されるように第２の保持部３２（図３参照）に接触可能である。被保持部６８は、第２の保持部３２がバッテリユニット６０を第２の保持位置に保持した状態において、バッテリユニット６０を第１のバッテリホルダ２０から取り外す力によって第２の保持部３２による保持が解除されるように第２の保持部３２を変形させることが可能である。
【００５３】
接触部７０は、ハウジング６２の第１の端面６６Ａのうちの被保持部６８よりも取り外す方向の下流側に設けられる。接触部７０は、取り外す方向において被保持部６８よりも第３の側面部６７Ｃ（図２参照）に近い位置に配置されている。接触部７０は、バッテリユニット６０の第２の方向Ｙにおける両端部を除く中間部に設けられている。接触部７０は、被保持部６８の少なくとも一部と一体的に形成されることが好ましい。接触部７０は、金属製である。接触部７０は、金属板を含む。接触部７０は、被保持部６８の金属板６８Ｂと一体に形成される。接触部７０は、取り外す方向における下流側の端部から上流側に向かうに連れて、第２の保持部３２側への突出量が大きくなるように形成されている。接触部７０における第２の保持部３２側への突出量は、第１の方向Ｘの突出量である。
【００５４】
接触部７０は、傾斜部７０Ａと、退避部７０Ｂとを含む。傾斜部７０Ａは、例えば取り外す方向における下流側の端部から上流側に向かうに連れて、第１の方向Ｘの突出量が大きくなるように形成される。取り外す方向における接触部７０の下流側の端部は、ハウジング６２に接触し、好ましくは、取り外す方向への移動が規制されるようにハウジング６２に係合する。退避部７０Ｂは、取り外す方向における傾斜部７０Ａの上流側の端部に連なり、ハウジング６２の第２の端部６４Ｂ側に延びている。退避部７０Ｂは、取り外す方向において被保持部６８の下流側の端部に繋がっている。接触部７０を構成する金属板は、板ばねであってもよい。接触部７０と被保持部６８とは、接触部７０が最も突出する部分と、被保持部６８が最も突出する部分との、第１の方向Ｘにおける位置がほぼ等しいか、または接触部７０が最も突出する部分のほうが、被保持部６８が最も突出する部分よりも、支持面２２Ｂに近くなるように形成されることが好ましい。接触部７０は、合成樹脂によって形成されてもよい。この場合、接触部７０は、ハウジング６２と一体に形成されていてもよいし、別体に形成されていてもよい。一体に形成される接触部７０と金属板６８Ｂとを、ハウジング６２とは異なる材料で一体に形成される合成樹脂板に置き換えてもよい。接触部７０は、バッテリユニット６０が第１の保持位置から第２の保持位置に移動する過程において、第２の保持部３２の摩擦部３４Ｂ（図３参照）と接触する。
【００５５】
バッテリユニット６０は、第３の規制部７２をさらに含む。第３の規制部７２は、ハウジング６２の第１の端部６４Ａに設けられ、バッテリユニット６０と第１のバッテリホルダ２０との第１の方向Ｘにおける相対的な移動を規制可能である。第３の規制部７２は、取り外す方向において、第１の規制部２８に対応する位置に設けられる。バッテリユニット６０が第１の保持位置に配置されているとき、第３の規制部７２は、第１の規制部２８に対向する。本実施形態では、第３の規制部７２は、バッテリユニット６０の第１の端部６４Ａのうちの取り外す方向の下流側の端部に設けられる。第１の規制部２８が、第２の部分２４Ａの第２の面２４Ｃに設けられる場合、第３の規制部７２は、バッテリユニット６０の第１の端部６４Ａのうちの取り付け方向の下流側の端部に設けられる。第３の規制部７２は、第１の凹部７２Ａを含む。第１の凹部７２Ａは、第１の規制部２８の第１の凸部２８Ａ（図３参照）を挿入可能である。本実施形態では、第１の凹部７２Ａは、第１の側面部６７Ａにそれぞれ設けられている。第１の凹部７２Ａは、取り外す方向に沿って延びる。
【００５６】
図５に示すように、バッテリユニット６０を第１のバッテリホルダ２０に取り付ける過程において、第１の凹部７２Ａに第１の凸部２８Ａが挿入されるようにバッテリユニット６０を第１のバッテリホルダ２０に対して取り付け方向に移動させる。図６に示されるとおり、第１の凸部２８Ａと第１の凹部７２Ａとが適切に嵌め合わせられることによって、バッテリユニット６０と第１のバッテリホルダ２０との第１の方向Ｘにおける相対的な移動が規制される。例えば、バッテリコンポーネント１０に外部から衝撃が加わり、バッテリユニット６０と第１のバッテリホルダ２０とが第１の方向Ｘに離反するような力が与えられたとしても、第１の規制部２８および第３の規制部７２によってバッテリユニット６０と第１のバッテリホルダ２０の相対位置が保持されるので、第１のバッテリホルダ２０は、バッテリユニット６０を安定して保持することができる。
【００５７】
第１のバッテリホルダ２０は、ロック機構３８をさらに含む。ロック機構３８は、第１の保持部３０（図３参照）を第１の位置に保持可能である。ロック機構３８は、第１の基部２２内に設けられる。ロック機構３８は、キーシリンダ３８Ａを含む。キーシリンダ３８Ａは、キー操作によって第１の保持部３０が第１の位置および第２の位置のいずれかに配置されるように第１の保持部３０に結合される。第１の保持部３０は、第１の位置に付勢部材によって付勢されていることが好ましい。この場合、キー操作によって、第１の保持部３０を第１の位置から第２の位置に変位させる。第１の保持部３０が第１の位置に配置されているときにキーシリンダ３８Ａに挿入したキーを回転させると、第１の保持部３０が第１の位置から第２の位置に移動する構成としてもよい。また第１の保持部３０が第１の位置に配置されているときにキーシリンダ３８Ａに挿入したキーを回転させた状態で、キーを押す操作を行うことによって、第１の保持部３０が第１の位置から第２の位置に移動する構成としてもよい。また第１の保持部３０が第２の位置に配置されているときにキーシリンダ３８Ａに挿入したキーを回転させると、第１の保持部３０が第２の位置から第１の位置に移動する構成としてもよい。
【００５８】
図７に示すように第２のバッテリホルダ４０は、第２の基部４２および第３の保持部４８を含む。第３の保持部４８は、第１の保持位置に配置されたバッテリユニット６０の第２の端部６４Ｂを保持可能である。第３の保持部４８は、一対のリブ４８Ａを含む。第２のバッテリホルダ４０は、第３の支持部４４、第２の規制部４６、および、プラグ５０をさらに含むことが好ましい。
【００５９】
第２の基部４２は、第１の方向Ｘにおいて第１の基部２２から間隔をあけて配置され、第１の保持位置に配置されたバッテリユニット６０の第１の方向Ｘの第２の端部６４Ｂを保持可能である（図２参照）。第２の基部４２は、第１の保持位置に配置されたバッテリユニット６０の第２の端部６４Ｂに対向する。第２の端部６４Ｂは、バッテリユニット６０の第１の方向Ｘの第２の端面６６Ｂ（図８参照）、および、バッテリユニット６０の側面部６７Ａ〜６７Ｃのうちの第２の端面６６Ｂ側の端部を含む。
【００６０】
第３の支持部４４は、第１の保持位置に配置されたバッテリユニット６０の第２の側面部６７Ｂ（図２参照）と対向するように第２の基部４２から延びる。第３の支持部４４は、第２の基部４２に一対設けられる。一対の第３の支持部４４は、その間にケーブルを配置するために間隔をあけて第２の基部４２に設けられる。第３の支持部４４の取り付け方向の下流側の端部は、対象部材Ｆに接触するように構成される。第３の支持部４４は、第２の基部４２と一体的に形成されていてもよく、別体で形成されていてもよい。第３の支持部４４は、第１の保持位置に配置されたバッテリユニット６０が取り付け方向に移動することを規制する構成であってもよい。この場合、第３の支持部４４は、第１の保持位置に配置されたバッテリユニット６０の第２の側面部６７Ｂに接触する。第１の保持位置に配置されたバッテリユニット６０の第２の側面部６７Ｂと、第３の支持部４４との間に弾性部材２４Ｂと同様な弾性部材を設けてもよい。
【００６１】
一対のリブ４８Ａは、第１の保持位置に配置されたバッテリユニット６０の第１の側面部６７Ａ（図８参照）を挟み込むように第２の基部４２に設けられる。一対のリブ４８Ａは、第２の方向Ｙにおいて第２の基部４２の両端部に設けられることが好ましい。第１の方向Ｘおよび第２の方向Ｙに垂直な方向において、第２の基部４２の中央部に設けられることが好ましい。リブ４８Ａは、バッテリユニット６０の第１の側面部６７Ａに沿って延びる。リブ４８Ａの先端部４８Ｂは、第２の方向Ｙから見て、第１の方向Ｘに突き出るように円弧状に湾曲した形状を有する。リブ４８Ａは、バッテリユニット６０の第１の側面部６７Ａに設けられる第５の凹部７６（図８参照）に挿入可能である。一対のリブ４８Ａは、第５の凹部７６に挿入された状態において、第５の凹部７６から第２の方向Ｙに突出しないように形成されることが好ましい。
【００６２】
第２の規制部４６は、第２の基部４２に設けられ、バッテリユニット６０と第２の基部４２との第１の方向Ｘにおける相対的な移動を規制可能である。第２の規制部４６は、第１の保持位置に配置されたバッテリユニット６０の第２の端部６４Ｂに対向する。第２の規制部４６は、第２の基部４２のうちの取り外す方向の下流側の端部で、第２の方向Ｙの両端部を除く中間部に設けられている。第２の規制部４６は、規制基部４６Ａおよび第３の凸部４６Ｂを含む。規制基部４６Ａは、第１の保持位置に配置されたバッテリユニット６０の第３の側面部６７Ｃ（図８参照）と対向するように第２の基部４２から延びる。
【００６３】
第３の凸部４６Ｂは、規制基部４６Ａの先端に設けられる。第３の凸部４６Ｂは、バッテリユニット６０のうちの第３の側面部６７Ｃに設けられる第３の凹部７４Ａ（図８参照）に挿入可能である。第３の凸部４６Ｂは、第１の保持位置に配置されたバッテリユニット６０がバッテリホルダ１２（図２参照）から取り外されるときに、バッテリユニット６０が旋回するための旋回支点を構成する。第３の凸部４６Ｂは、バッテリユニット６０をバッテリホルダ１２に取り付けるときにも旋回支点を構成する。第３の凸部４６Ｂの先端部４６Ｃは、丸みを帯びた形状を有する。第３の凸部４６Ｂの先端部４６Ｃは、第２の方向Ｙから見て、取り付け方向に突き出るように円弧状に湾曲した形状を有する。
【００６４】
第２の規制部４６は、第３の保持部４８とともに、第１の保持位置に配置されたバッテリユニット６０の第２の端部６４Ｂを保持可能に構成されてもよい。また第２の規制部４６を、第１の保持位置に配置されたバッテリユニット６０の第２の端部６４Ｂを保持可能に構成して、第３の保持部４８を省略してもよい。
【００６５】
プラグ５０は、第２の基部４２に設けられ、バッテリユニット６０と電気的に接続可能である。プラグ５０は、第２の基部４２のうちのバッテリユニット６０の第２の端面６６Ｂと対向する支持面４２Ａから突出して設けられることが好ましい。プラグ５０は、バッテリユニット６０が第１の保持位置に配置されている状態で、バッテリユニット６０の第２の端面６６Ｂに設けられるプラグ穴７８（図８参照）に接続されるように構成される。第２の基部４２の内部には、プラグ５０と電気的に接続される電子部品（図示略）が設けられてもよい。電子部品は、回路基板および電気配線などを含む。プラグ５０の周囲にはプラグ保護部５０Ａが形成されていてもよい。プラグ保護部５０Ａは、第２の基部４２の支持面４２Ａから突出、または、第２の基部４２の支持面４２Ａから凹むように構成されている。プラグ保護部５０Ａは、支持面４２Ａのうちのプラグ５０の全周にわたって形成されることが好ましい。第２の基部４２にプラグ保護部５０Ａが設けられる場合、バッテリユニット６０の第２の端面６６Ｂには、プラグ穴７８の周囲に、プラグ穴保護部７８Ａが形成される。プラグ穴保護部７８Ａは、バッテリユニット６０が第１の保持位置に配置されている状態で、プラグ保護部５０Ａに嵌るように構成される。プラグ保護部５０Ａおよびプラグ穴保護部７８Ａが設けられる場合、バッテリコンポーネント１０に外部から衝撃が加わったときに、プラグ５０の端子に負荷が与えられることを抑制することができ、電気的な接続の信頼性を向上させることができる。
【００６６】
第２のバッテリホルダ４０は、着脱部５２をさらに含む。着脱部５２は、第２のバッテリホルダ４０が取り付けられる対象部材Ｆ（図１参照）に着脱可能である。着脱部５２はファスナーを含む。ファスナーはボルトを含む。着脱部５２は、第２の基部４２のうち取り付け方向の下流側の端部に設けられることが好ましい。着脱部５２がボルトを含む場合、第２の方向Ｙに間隔をあけて設けられる２つのボルトを第２の基部４２に設けることが好ましい。着脱部５２がボルトを含む場合、第２の基部４２のうち取り付け方向の下流側の端部から突出するようにボルトを設けることが好ましい。着脱部５２がボルトを含む場合、ボルトを対象部材Ｆに形成される孔に挿入させ、ナットと第２の基部４２とによって対象部材Ｆを挟み込んで第２のバッテリホルダ４０を対象部材Ｆに固定する。着脱部５２は、ナットまたはねじ孔を含んでいてもよい。着脱部５２がナットまたはねじ孔を含む場合、ボルトを対象部材Ｆに形成される孔に挿入させ、ボルトと着脱部５２のナットまたはねじ孔とによって対象部材Ｆを挟み込んで第２のバッテリホルダ４０を対象部材Ｆに固定する。
【００６７】
図８に示すようにバッテリユニット６０は、第４の規制部７４、第５の凹部７６、および、プラグ穴７８をさらに含むことが好ましい。第４の規制部７４は、ハウジング６２の第３の側面部６７Ｃに設けられ、バッテリユニット６０と第２のバッテリホルダ４０との第１の方向Ｘにおける相対的な移動を規制する。第４の規制部７４は、バッテリユニット６０の第２の端部６４Ｂに設けられる。第４の規制部７４は、第３の凹部７４Ａを含む。第３の凹部７４Ａは、第２の規制部４６の第３の凸部４６Ｂ（図７参照）を挿入可能である。第３の凹部７４Ａは、ハウジング６２の第２の方向Ｙの両端部を除く中間部分に設けられる。第３の凹部７４Ａの第２の方向Ｙの寸法は、第３の凸部４６Ｂの第２の方向Ｙの寸法よりもわずかに大きい。第３の凹部７４Ａの外表面は、第３の凸部４６Ｂの外表面に沿う形状とすることが好ましい。
【００６８】
第５の凹部７６は、バッテリユニット６０の第２の端部６４Ｂに設けられる。第５の凹部７６は、ハウジング６２に一対設けられている。一対の第５の凹部７６は、ハウジング６２の第１の側面部６７Ａにそれぞれ設けられる。第５の凹部７６は、ハウジング６２の第２の端面６６Ｂ側にも開口する。第５の凹部７６は、バッテリユニット６０の挿入方向における中央部に設けられる。第５の凹部７６の空間の形状は、リブ４８Ａの形状と略相似形である。プラグ穴７８は、ハウジング６２の第２の端面６６Ｂに設けられ、プラグ５０を挿入可能である。プラグ穴７８は、第３の側面部６７Ｃ寄りに形成されることが好ましい。
【００６９】
図９〜図１１を参照して、バッテリユニット６０のバッテリホルダ１２への取付手順について説明する。ここでは、第１の保持部３０が付勢部材によって第１の位置に付勢されており、バッテリユニット６０のバッテリホルダ１２への取り付けにキーを用いる必要がない場合について説明する。第１の取付手順では、図９に示すようにバッテリユニット６０の第３の凹部７４Ａを第２のバッテリホルダ４０の第３の凸部４６Ｂに引っ掛ける。
【００７０】
第２の取付手順では、バッテリユニット６０がバッテリホルダ１２に対して取り付け方向に移動するように、第３の凸部４６Ｂを旋回支点としてバッテリユニット６０を旋回させる。これによって、図１０に示すように、第２のバッテリホルダ４０のリブ４８Ａがバッテリユニット６０の第５の凹部７６に挿入される。
【００７１】
バッテリユニット６０を取り付け方向にさらに旋回させると、図１１に示すように、第２のバッテリホルダ４０のプラグ５０がバッテリユニット６０のプラグ穴７８（図８参照）に挿入され、バッテリユニット６０の第１の凹部７２Ａに第１のバッテリホルダ２０の第１の凸部２８Ａが挿入される（図５参照）。
【００７２】
バッテリユニット６０を第１の保持位置に向けて旋回させる間に、第２の保持部３２が被保持部６８に接触するが、第２の保持部３２が被保持部６８に接触した状態でバッテリユニット６０を取り付け方向にさらに旋回させると、第２の保持部３２が変形して被保持部６８が第２の保持部３２を乗り越える。さらにバッテリユニット６０を取り付け方向に旋回させると、付勢部材に付勢されて第１の位置に配置されている第１の保持部３０を、被保持部６８が第２の位置に向かって押し、被保持部６８が第１の保持部３０の先端部３０Ａを乗り越える。被保持部６８が第１の保持部３０の先端部３０Ａを乗り越えると、第１の保持部３０が付勢部材に付勢されて第１の位置に戻ることによって、第１の保持部３０の先端部３０Ａが被保持部６８に取り付け方向の下流側から接触する。この手順によって、バッテリユニット６０がバッテリホルダ１２に取り付けられる。
【００７３】
バッテリユニット６０のバッテリホルダ１２への取り付けにキーを用いる必要がある場合では、キーシリンダ３８Ａに挿入したキーを回転させて、第１の保持部３０を第１の位置から第２の位置に移動させた状態で、上記と同様な手順を行なう。バッテリユニット６０を第１の保持位置に配置すると、この状態で、キーシリンダ３８Ａに挿入したキーを回転させて、第１の保持部３０を第２の位置から第１の位置に移動させる。
【００７４】
図１２〜図１４を参照して、バッテリホルダ１２からバッテリユニット６０を取り外す取外手順について説明する。第１の取外手順では、図１２に示すようにキー操作によって第１の保持部３０を第１の位置から第２の位置に変位させ、第１の保持部３０を被保持部６８から離間させる。これによって、第１の保持部３０による保持が解除され、第１の保持位置に配置されたバッテリユニット６０がバッテリホルダ１２に対して取り外す方向に移動し始める。図１２の二点鎖線は、第２の位置に配置された第１の保持部３０を示す。対象部材Ｆの開口ＦＡ（図１参照）が下を向いている場合には、バッテリユニット６０は自重によって第３の凸部４６Ｂを旋回支点として旋回する。
【００７５】
バッテリユニット６０が第１の保持位置から第２の保持位置に移動する過程において、図１３に示すように第２の保持部３２の摩擦部３４Ｂとバッテリユニット６０の接触部７０とが接触する。バッテリユニット６０は自重によって第３の凸部４６Ｂを旋回支点として旋回する場合、摩擦部３４Ｂと接触部７０との接触によって、バッテリユニット６０の移動速度は低減するが、バッテリユニット６０の移動自体は妨げられないように摩擦部３４Ｂと接触部７０とを構成することが好ましい。
【００７６】
取り外す方向に接触部７０が摩擦部３４Ｂを乗り越えた後、図１４に示すように弾性部材３４が被保持部６８と接触することによって、バッテリユニット６０が第２の保持位置に保持される。第２の取外手順では、バッテリユニット６０を把持して、バッテリユニット６０に取り外す方向の力を加える。これによって、被保持部６８が弾性部材３４の変形部３４Ａを変形させ、取り外す方向に被保持部６８が弾性部材３４を乗り越え、バッテリユニット６０が第１のバッテリホルダ２０から取り外される。第３の取外手順では、バッテリユニット６０の第３の凹部７４Ａが第２のバッテリホルダ４０の第３の凸部４６Ｂから取り外される。この手順によって、バッテリユニット６０がバッテリホルダ１２から取り外される。
【００７７】
（第２の実施形態）
第２の実施形態のバッテリコンポーネント１１０は、以下に説明する点において第１の実施形態のバッテリコンポーネント１０と相違し、その他の点において第１の実施形態のバッテリコンポーネント１０と実質的に同じ構成を備える。なお、第２の実施形態のバッテリコンポーネント１１０の説明は、第１の実施形態のバッテリコンポーネント１０と共通する構成に同一の符号を付し、その構成の説明の一部または全部を省略する。
【００７８】
第２の実施形態のバッテリコンポーネント１１０は、バッテリホルダ１１２およびバッテリユニット１６０を含む（図１６参照）。バッテリホルダ１１２は、第１のバッテリホルダ１２０および第２のバッテリホルダ４０を含む。
【００７９】
図１５に示されるとおり、第２の実施形態のバッテリユニット１６０は、第１の被保持部８０および第２の被保持部８２を含む。第１の被保持部８０は、第１の実施形態の被保持部６８（図４参照）と実質的に同じ構成を有するため、その説明を省略する。第２の被保持部８２は、ハウジング６２の第１の端面６６Ａのうちの第１の被保持部８０よりも取り外す方向の下流側の位置に設けられる。第２の被保持部８２は、第１の保持位置に配置されたバッテリユニット６０が取り外す方向に移動したときに、第２の保持位置（図１６参照）でバッテリユニット６０が保持されるように第１のバッテリホルダ１２０の第２の保持部８４（図１６参照）に接触可能である。バッテリユニット１６０は、接触部７０（図４参照）が省略されている。
【００８０】
図１６に示されるとおり、第１のバッテリホルダ１２０は、第２の保持部３２（図３参照）に代えて第２の保持部８４を含む。第２の保持部８４は、第１の基部２２に設けられ、第１の保持部３０よりも取り外す方向の下流側に少なくとも一部が配置される。本実施形態では、第１の保持部３０よりも取り外す方向の下流側に第２の保持部８４の全体が配置される。第２の保持部８４は、第１の基部２２の支持面２２Ｂのうちの取り外す方向の下流側の端部２２Ｃに設けられる。第２の保持部８４は、第２の被保持部８２と接触することによってバッテリユニット６０を第２の保持位置に保持する。第２の保持部８４は、第１の基部２２に一体に形成されていてもよく、別体に形成されていてもよい。第２の保持部８４は、第１の基部２２の支持面２２Ｂから第１の保持位置に配置されるバッテリユニット１６０に向かって突出する。
【００８１】
第２の被保持部８２は、接触位置および非接触位置に変位可能にハウジング６２に設けられる。接触位置は、第２の保持部８４と接触可能な位置である。非接触位置は、第２の保持部８４から離間した位置である。第２の被保持部８２は、ハウジング６２に対して第１の方向Ｘに移動することによって接触位置および非接触位置のいずれかに配置される。なお、図１６の二点鎖線は、第１の位置に配置された第１の保持部３０、および、非接触位置に配置される第２の被保持部８２を示す。
【００８２】
第２の被保持部８２は、フック８２Ａおよび支持部８２Ｂを含む。フック８２Ａは、支持部８２Ｂと一体的に形成される。フック８２Ａは、バッテリユニット６０に設けられた弾性部材（図示略）によって支持部８２Ｂが押されることによって接触位置に配置される。弾性部材は、ハウジング６２と支持部８２Ｂとの間に設けられる。弾性部材の一例は、ばねである。フック８２Ａは、支持部８２Ｂが第１の方向Ｘにハウジング６２に向けて押されることによって非接触位置に配置される。
【００８３】
バッテリユニット６０がバッテリホルダ１１２から取り外される過程において、第２の被保持部８２を接触位置に配置した状態で、バッテリホルダ１１２が第１の保持位置から取り外す方向に移動すると、第２の保持部８４と第２の被保持部８２のフック８２Ａとが接触し、バッテリユニット６０が第２の保持位置に保持される。図１６に示される例では、バッテリユニット６０が第２の保持位置に配置されているときに、支持部８２Ｂの一部が外部に露出する。支持部８２Ｂの露出した部分を第１の方向Ｘにハウジング６２に向けて押されることによって、フック８２Ａが接触位置から非接触位置に移動して、第２の保持部８４による保持が解除され、バッテリユニット１６０がバッテリホルダ１１２から取り外される。
【００８４】
（第３の実施形態）
第３の実施形態のバッテリコンポーネント２１０は、以下に説明する点において第１の実施形態のバッテリコンポーネント１０と相違し、その他の点において第１の実施形態のバッテリコンポーネント１０と実質的に同じ構成を備える。なお、第３の実施形態のバッテリコンポーネント２１０の説明は、第１の実施形態のバッテリコンポーネント１０と共通する構成に同一の符号を付し、その構成の説明の一部または全部を省略する。
【００８５】
第３の実施形態のバッテリコンポーネント２１０は、バッテリホルダ２１２およびバッテリユニット２６０を含む（図１８参照）。バッテリホルダ２１２は、第１のバッテリホルダ２２０および第２のバッテリホルダ４０を含む。
【００８６】
図１７に示されるとおり、第３の実施形態のバッテリユニット２６０は、被保持部９０を含む。被保持部９０は、第１の実施形態の被保持部６８（図４参照）と実質的に同じ構成を有するため、その説明を省略する。ハウジング６２のうちの第１の側面部６７Ａのそれぞれには、段差部９２が設けられる。バッテリユニット２６０は、接触部７０（図４参照）が省略されている。
【００８７】
段差部９２は、第１の側面部６７Ａのうちの第３の側面部６７Ｃの縁から第２の側面部６７Ｂの縁にかけて設けられ、第２の側面部６７Ｂ側の部分が第１の端面６６Ａ側に向けて湾曲して延びている。段差部９２は、段差部９２の第１の端面６６Ａ側の部分が、第２の端面６６Ｂ側の部分よりも第２の方向Ｙの寸法が小さくなるように形成されている。
【００８８】
図１８に示すように、第１のバッテリホルダ２２０は、第２の保持部３２（図３参照）に代えて第２の保持部９４を含む。第２の保持部９４は、第２の方向Ｙに延びる棒状の部材である。第２の保持部９４は、第１の基部２２に設けられ、第１の保持部３０よりも取り外す方向の下流側に少なくとも一部が配置される。第２の保持部９４は、一対の第１のアーム９４Ａおよび第２のアーム９４Ｂを含む。第２のアーム９４Ｂは、第２の方向Ｙの両端部が一対の第１のアーム９４Ａの端部に支持されている。本実施形態では、第１の保持部３０よりも取り外す方向の下流側に第１のアーム９４Ａの一部および第２のアーム９４Ｂの全体が配置される。第２のアーム９４Ｂは、第１のアーム９４Ａと一体的に形成されてもよい。
【００８９】
一対の第１のアーム９４Ａは、第１の基部２２または第１の支持部２４に取り付けられる。第１のアーム９４Ａは、旋回支持部９４Ｃを含む。旋回支持部９４Ｃは、第１の基部２２または第１の支持部２４に、第２の方向Ｙに平行な軸線まわりに旋回可能に設けられる。第１のアーム９４Ａは、例えば段差部９２の段差に沿う形状を有している。第１のアーム９４Ａは、バッテリユニット２６０が第１の保持位置（図１８参照）から取り外す方向に移動するとき、段差部９２の段差面９２Ａに押されて、第２のアーム９４Ｂが第１の基部２２に近づく方向に旋回する。第１の保持位置に配置されたバッテリユニット２６０が取り外す方向に移動したとき、バッテリユニット２６０の第３の側面部６７Ｃと第２のアーム９４Ｂとが接触し、第２のアーム９４Ｂが第３の側面部６７Ｃを支持することによって、バッテリユニット２６０が第２の保持位置（図１９参照）に保持される。バッテリユニット２６０が第１の保持部３０によって第１の保持位置に保持されるとき、第１のアーム９４Ａと段差部９２の段差面９２Ａとが接触するように第２の保持部９４が配置される。
【００９０】
図１８〜図２０を参照して、バッテリホルダ１２からバッテリユニット６０を取り外す取外手順の一例について説明する。第１の取外手順のうち第１の保持部３０と被保持部９０との係合状態を解除する手順は、第１の実施形態で記載した手順と実質的に同じであるため、その説明を省略する。図１８の二点鎖線は、第１の位置に配置された第１の保持部３０を示す。
【００９１】
図１９に示すように、バッテリユニット６０が第１の保持位置から取り外す方向に移動することによって段差部９２が第１のアーム９４Ａを押し、第１のアーム９４Ａが旋回支持部９４Ｃまわりに旋回し始める。第１のアーム９４Ａが所定の位置まで旋回するとバッテリユニット６０が第２のアーム９４Ｂに接触して、バッテリユニット６０が第２のアーム９４Ｂによって第２の保持位置で保持される。
【００９２】
第２の取外手順では、バッテリユニット６０を把持しながら、第２の保持部９４を把持して第１のアーム９４Ａをさらに旋回させて、第２の保持部９４とバッテリユニット６０との接触を解除する。この手順によって、バッテリユニット６０が取り外す方向に移動可能になり、図２０に示されるように、バッテリユニット６０がバッテリホルダ１２から取り外される。
【００９３】
（変形例）
上記各実施形態に関する説明は、本発明に従うバッテリホルダ、バッテリユニット、および、これらを含むバッテリコンポーネントが取り得る形態の例示であり、その形態を制限することを意図していない。本発明は、以下に示される上記実施形態の変形例、および、相互に矛盾しない少なくとも２つの変形例が組み合わせられた形態を取り得る。
【００９４】
・第１の実施形態の変形例のバッテリコンポーネント１０は、第２の保持部３２および弾性部材３４に代えて、細長部材および取付部を含む。細長部材は、所定の長さを有する。細長部材は、紐、チェーンまたはベルトを含む。細長部材の材質は、合成樹脂、金属、天然素材であってもよい。細長部材の一方の端部は、第１の基部２２に固定される。細長部材の他方の端部は、取付部に着脱可能に構成される。取付部は、バッテリユニット６０の第１の端部６４Ａに設けられる。
【００９５】
バッテリユニット６０がバッテリホルダ１２に取り付けられる過程において、細長部材が取付部に連結される。バッテリユニット６０がバッテリホルダ１２から取り外される過程においてバッテリユニット６０が取り外す方向に移動したとき、紐状部材によってバッテリユニット６０が第１の保持位置よりも取り外す方向の下流側の第２の保持位置に保持される。このため、バッテリユニットが第１の保持位置から第２の保持位置に向けて移動するときにバッテリユニットを手で支える必要がなく、バッテリホルダからバッテリユニットを取り外す作業の煩わしさが低減される。紐状部材を取付部から取り外されることによって、バッテリユニット６０がバッテリホルダ１２から取り外される。
【００９６】
・第１の凹部７２Ａが取り外す方向に沿って延びるか否かは任意に変更可能である。一例では、第１の凹部７２Ａは、取り外す方向から傾斜した方向に延びていてもよい。第１の凸部２８Ａにおいても、取り外す方向から傾斜した方向に延びていてもよい。
【００９７】
・第３の規制部７２は、図２１に示すように第１の凹部７２Ａに代えてまたは加えて、第２の凸部７２Ｂを含んでいてもよい。この変形例における第１の規制部２８は、第１の凸部２８Ａに代えてまたは加えて、第２の凹部２８Ｂを含んでいてもよい。第３の規制部７２の第２の凸部７２Ｂは、第１の規制部２８の第２の凹部２８Ｂに挿入可能である。図２１に示される例では、第３の規制部７２は第１の凹部７２Ａに代えて第２の凸部７２Ｂを含み、第１の規制部２８は第１の凸部２８Ａに代えて第２の凹部２８Ｂを含む。
【００９８】
・第１の実施形態のバッテリユニット６０において、接触部７０を省略してもよい。この変形例によれば、第２の保持部３２から摩擦部３４Ｂが省略される。このため、バッテリユニット６０が第１の保持位置から第２の保持位置に移動する過程において、バッテリユニット６０と第１のバッテリホルダ２０とが干渉しない。
【００９９】
・被保持部６８が接触部７０と一体的に形成されるか否かは、任意に変更可能である。被保持部６８は、接触部７０とは個別に設けられてもよい。
・第５の凹部７６は、省略されてもよい。この場合、第２の規制部４６が、第３の保持部として機能する。
【０１００】
・一対のリブ４８Ａのうちの少なくとも一方を省略し、省略されたリブ４８Ａに対応する第５の凹部７６もバッテリユニット６０から省略されてもよい。
・第３の凸部４６Ｂの先端部４６Ｃは、角を含む形状に形成されてもよい。
【０１０１】
・第２の規制部４６は、図２２に示すように第３の凸部４６Ｂに代えてまたは加えて、第４の凹部４６Ｄを含でいてもよい。この変形例における第４の規制部７４は、第３の凹部７４Ａに代えてまたは加えて、第４の凸部７４Ｂを含んでいてもよい。第２の規制部４６の第４の凹部４６Ｄは、第４の規制部７４の第４の凸部７４Ｂを挿入可能である。図２２に示される例では、第２の規制部４６は第３の凸部４６Ｂに代えて第４の凹部４６Ｄを含み、第４の規制部７４は第３の凹部７４Ａに代えて第４の凸部７４Ｂを含む。
【０１０２】
・第２のバッテリホルダ４０から、第２の規制部４６を省略して、バッテリユニット６０から第４の規制部７４を省略してもよい。
・ロック機構３８が第１の基部２２内に設けられるか否かは、任意に変更可能である。ロック機構３８は、第１の基部２２の外面に取り付けられてもよい。
【０１０３】
・第１のバッテリホルダ２０，１２０，２２０から、ロック機構３８を省略してもよい。この場合、第１の保持部３０を第１の位置および第２の位置の間で変位させるため、ユーザが操作可能な操作部が第１の基部２２に設けられる。操作部は、ボタンまたはレバーを含む。例えば、操作部を操作していないときに、第１の保持部３０が付勢部材によって第１の位置に付勢され、操作部を操作すると、第１の保持部３０が第１の位置から第２の位置に移動する構成としてもよい。
【０１０４】
・第１のバッテリホルダ２０，１２０，２２０から、着脱部３６を省略してもよい。第１のバッテリホルダ２０，１２０，２２０は、対象部材Ｆに接着または融着によって固定されてもよい。第１のバッテリホルダ２０，１２０，２２０の着脱部３６は、第１のバッテリホルダ２０，１２０，２２０の第２の方向Ｙの端部、第１の方向Ｘにおいて支持面２２Ｂとは反対側の端部、取り外す方向の下流側の端部のいずれに設けられてもよい。第１のバッテリホルダ２０，１２０，２２０は、少なくとも一部が対象部材Ｆと一体に形成されていてもよい。
【０１０５】
・第２のバッテリホルダ４０から、着脱部５２を省略してもよい。第２のバッテリホルダ４０は、対象部材Ｆに接着または融着によって固定されてもよい。第２のバッテリホルダ４０の着脱部５２は、第２のバッテリホルダ４０の第２の方向Ｙの端部、第１の方向Ｘにおいて支持面４２Ａとは反対側の端部、取り外す方向の下流側の端部のいずれに設けられてもよい。第２のバッテリホルダ４０は、少なくとも一部が対象部材Ｆと一体に形成されていてもよい。
【０１０６】
・第１のバッテリホルダ２０，１２０，２２０と、第２のバッテリホルダ４０とは、少なくとも一部が一体に形成されていてもよい。第１のバッテリホルダ２０，１２０，２２０と、第２のバッテリホルダ４０とを一体的に形成する場合、一側面に開口が形成される箱型に形成してもよい。
【０１０７】
・第２の保持部３２は、バッテリユニット６０に設けられた被保持部６８とは別の被保持部に接触することによって、バッテリユニット６０を第２の保持位置に保持するように構成されてもよい。
【０１０８】
・弾性部材３４は、エラストマ、または樹脂バネによって構成されていてもよい。
・第１の保持部３０および第２の保持部３２の少なくとも一方は、ハウジング６２の第１の側面部６７Ａに接触するように第１の部分２６Ａに設けられてもよい。被保持部６８および接触部７０の少なくとも一方は、第１の保持部３０および第２の保持部３２に対応するように、ハウジング６２の第１の側面部６７Ａに設けられてもよい。
【０１０９】
・第１の規制部２８は、第１の基部２２とは個別に形成され、第１の基部２２に取り付けられてもよい。
・第１の規制部２８は、第１の支持部２４に設けられてもよく、支持面２２Ｂに設けられてもよい。
【０１１０】
・第１のバッテリホルダ２０，１２０，２２０から、第１の規制部２８を省略し、バッテリユニット６０から第３の規制部７２を省略してもよい。
・第１の支持部２４は、一対の第１の支持部２４が一体的に形成されていてもよく、一対の第１の支持部２４の間にケーブルを配置するための間隔をあけないようにしてもよい。第１の支持部２４には、ケーブルを配置するための孔または溝が形成されていてもよい。第３の支持部４４は、一対の第３の支持部４４が一体的に形成されていてもよく、一対の第３の支持部４４の間にケーブルを配置するための間隔をあけないようにしてもよい。第３の支持部４４には、ケーブルを配置するための孔または溝が形成されていてもよい。
【０１１１】
・バッテリホルダ１２，１１２,２１２は、第１の支持部２４、第２の支持部２６、および、第３の支持部４４のうちの少なくとも１つを省略した形態を取り得る。
・バッテリホルダ１２，１１２,２１２は、第２のバッテリホルダ４０を省略してもよい。
【０１１２】
・バッテリユニット６０は、略正六面体に形成されていてもよい。
・対象部材Ｆは、自転車以外であってもよく、車両、建物および電子機器を含む。バッテリホルダ１２に電気的に接続されている要素は、電子部品を含む。
【０１１３】
・バッテリコンポーネント１０が設けられる自転車の開口ＦＡは、自転車が平地に置かれた状態で自転車の側方または上方に開口していてもよい。
【符号の説明】
【０１１４】
１０，１１０，２１０…バッテリコンポーネント、１２，１１２，２１２…バッテリホルダ、２０，１２０，２２０…第１のバッテリホルダ、２２…第１の基部、２２Ｂ…支持面、２４…第１の支持部、２６…第２の支持部、３０…第１の保持部、３２…第２の保持部、３４…弾性部材、３４Ａ…変形部、３４Ｂ…摩擦部、３４Ｃ…第１のばね端部、３４Ｄ…第２のばね端部、３６…着脱部、３８…ロック機構、３８Ａ…キーシリンダ、４０…第２のバッテリホルダ、４２…第２の基部、４８…第３の保持部、６０，１６０…バッテリユニット、６２…ハウジング、６２Ａ…バッテリセル、６４Ａ…第１の端部、６４Ｂ…第２の端部、６６Ｃ…端部、６７…側面部、６８…被保持部、７０…接触部、８０…第１の被保持部、８２…第２の被保持部、８４…第２の保持部、Ｆ…対象部材。
【図１】
2018006144.tif 000003
【図２】
2018006144.tif 000004
【図３】
2018006144.tif 000005
【図４】
2018006144.tif 000006
【図５】
2018006144.tif 000007
【図６】
2018006144.tif 000008
【図７】
2018006144.tif 000009
【図８】
2018006144.tif 000010
【図９】
2018006144.tif 000011
【図１０】
2018006144.tif 000012
【図１１】
2018006144.tif 000013
【図１２】
2018006144.tif 000014
【図１３】
2018006144.tif 000015
【図１４】
2018006144.tif 000016
【図１５】
2018006144.tif 000017
【図１６】
2018006144.tif 000018
【図１７】
2018006144.tif 000019
【図１８】
2018006144.tif 000020
【図１９】
2018006144.tif 000021
【図２０】
2018006144.tif 000022
【図２１】
2018006144.tif 000023
【図２２】
2018006144.tif 000024